(57)【特許請求の範囲】
【請求項１】
押出機の加熱バレルに取付けたベント装置において、押出機加熱バレルのベント部に設けた押出機内部から出る揮発分等を集めるベント室を形成するベントポートと、
押出機スクリュとの間に所定の空間或いは隙間を保つ下面とベント室内に広がる上面との間を貫通し、ベント室内に開口するベント孔を有する加熱バレルに設けた穴部に挿入されるベントブロックと、
加熱バレルに固定され、ベントブロックの外側面上部の段付き部を係合するとともにベントブロックを着脱可能に取付けるアダプタと、
ベント室内に開口し、ベント室内の揮発分等を真空ポンプにより吸引する真空配管と、
頭部がベント室内の上部付近にまで達しベントブロックをアダプタに着脱可能に取付けるためのボルトとを有してなる押出機のベント装置。
【請求項２】
前記押出機は単軸或いは多軸押出機のいずれか一側であることを特徴とする請求項１記載の押出機のベント装置。
【発明の詳細な説明】
【０００１】
【発明の属する技術分野】
本発明は押出機のベント部の構造に係り、特に押出機内部に挿入されたベントブロックを容易に取出し、容易に交換ができる押出機ベント装置に関する。
【０００２】
【従来技術】
最近の多品種小量生産ににおいて重要なことは原料変更、色替え時のロス時間を短くすることであり、原料変更時等に前の原料が次の製品の中に混入しないようにスクリュ、バレル、ノズルそしてベント部等の清掃が行われる。
先ず最初にナチュラル原料或いは清掃剤を流すこことでバレル、スクリュ、ヘッドおよびノズル内部を清掃して置換する。
【０００３】
次いで機械の停止後、ヘッド部を解放してノズルを清掃する。汚れが極端にひどい場合はスクリュを抜き出して清掃するとともに、ベント部を分解して、未使用のベントブロック或いは清掃によりきれいなものに交換にした後、再び逆順序で組立を行う。特にベント部の分解、清掃そして再度の組立ては非常に面倒で、作業時間も掛かった。
【０００４】
ここで従来のベント装置について図３および図４により２軸押出機を例に採り説明すると、１は押出機の加熱バレルで、孔部２に押出機のスクリュ３の遠心力による樹脂の盛り上がり或いは揮発ガスと一緒に樹脂が舞い上がるのを防止するためのベントブロック４ガ挿入されている。同ベントブロック４はスクリュ３との間に所定の空間或いは隙間を保つ下面と上面との間を貫通するベント孔５が設けてあり、このベント孔５と同一形状の孔を有するアダプタ６に着脱可能にボルト７により取付けられている。またアダプタ６はボルト８により加熱バレル１に固定されている。
【０００５】
アダプタ６にはベントブロック４の上面に開いたベント孔５を囲うベントポート９が設けてあり、押出し機内部から出てくる揮発ガス等を集めるベント室１０を形成している。このベント室１０には真空配管１１が設けてあり、ベント室１０から揮発ガス等を真空ポンプにより吸引するようにしている。
【０００６】
【発明が解決しょうとする課題】
以上のように構成されているので、ベントブロック４の取出しに際しては、まず真空配管１１をフランジ１１ａで取外し、次いでボルト８を緩めてベントブロック４を取付けたたまゝベントポート９を加熱バレル１から取外し、その後ボルト７を緩めてアダプタ６からベントブロック４を取外すようになっており、ベントブロック４を外すために種々の部材を外さなければならなかったので非常に面倒で手間のかゝる作業であった。
【０００７】
本発明の目的はベント部の分解が容易にでき、ベントブロックの清掃や交換が簡単に行うことができる押出機のベント装置を提供することに有る。
【０００８】
【課題を解決するための手段】
前述の目的を達成するため本発明は押出機の加熱バレルに取付けたベント装置において、押出機加熱バレルのベント部に設けた押出機内部から出る揮発分等を集めるベント室を形成するベントポートと、押出機スクリュとの間に所定の空間或いは隙間を保つ下面とベント室内に広がる上面との間を貫通し、ベント室内に開口するベント孔を有する加熱バレルに設けた穴部に挿入されるベントブロックと、加熱バレルに固定され、ベントブロックの外側面上部の段付き部を係合するとともにベントブロックを着脱可能に取付けるアダプタと、ベント室内に開口し、ベント室内の揮発分等を真空ポンプにより吸引する真空配管と、頭部がベント室内の上部付近にまで達しベントブロックをアダプタに着脱可能に取付けるためのボルトとを有してなる押出機のベント装置とした。
【０００９】
この押出機は単軸或いは多軸押出機のいずれか一側であれば好適である。
【００１０】
これにより本発明はベントブロックが他の部材を外すことなく、容易にベントブロックのみを取外すことができる。
【００１１】
【発明の実施の形態】
以下本発明の１実施形態を図１および図２により説明する。押出機の加熱バレル２０のベント部には孔部２１が設けてあり、押出機内部から出る揮発分等を集めるベント室２３を形成するベントポート２４が設けてある。前記孔部２１にはベントブロック２２が挿入されている。同ベントブロック２２はスクリュ２５との間に所定の空間或いは隙間を保つ下面とベント室２３内に広がる上面との間を貫通するベント孔２６が設けてある。このベントブロック２２の外側面上部には加熱バレル２０のベント部の孔部２１より太径の段付き部２７が設けてあり、この段付き部２７が加熱バレル２０にボルト２８により固定されたアダブタ２９に係合するとともに、ボルト３０により着脱可能に同アダブタ２９に取付けられている。
【００１２】
ボルト３０は頭部がベントポート２４のベント室２３上部付近にまで達していて、同ベント室２３の上部に有る蓋３１を開口して同開口部からスパナ等を入れ、ボルト操作をし易いようにしてある。
【００１３】
前述のベントポート２４は下部フランジ３２を介してアダプタ２９にボルト３３により固定されており、ベント室２３は上部にガラス等で内部の様子が見えるとともに、ベント室２３内の清掃等が可能とするため蓋３１が設けてある。またベント室２３には真空配管３４が設けてあり、ベント室２３から揮発ガス等を真空ポンプにより吸引するようにしている。
【００１４】
このように構成されているので、ベントブロツク２２を取外すに際し、蓋３１を開いた後、その開口部からスパナ等により頭部がベント室２３上部付近にまで達しているボルト３０を緩め、取外すと、ベントブロツク２２はアダプタ２９の固定から解放されるので、ベントブロツク２２をそのまゝ上方向に引上げることができる。
【００１５】
【発明の効果】
このように容易に真空配管等もベントポートも取外すことなくベントブロックを容易に取外すことができ、従来のベント装置にあった分解が面倒で、手間が掛かり、ロス時間長いという欠点が取除かれる。
【図面の簡単な説明】
【図１】本発明の１実施形態例を示すベント装置の側面図である。
【図２】本発明の１実施形態例を示すベント装置の図で、図１のＢ−Ｂ断面図ある。
【図３】従来のベント装置を示す側面図である。
【図４】従来のベント装置を示す説明図で、図３のＡ−Ａ断面図ある。
【符号の説明】
２０  加熱バレル
２１  孔部
２２  ベントブロック
２３  ベント室
２４  ベントポート
２５  スクリュ
２６  ベント孔
２７  段付き部
２８  ボルト
２９  アダプタ
３０  ボルト
３１  蓋
３２  下部フランジ
３３  ボルト
３４  真空配管
【図１】
0003735765.tif 000002
【図２】
0003735765.tif 000003
【図３】
0003735765.tif 000004
【図４】
0003735765.tif 000005